【手続補正書】
【提出日】平成28年7月8日(2016.7.8)
【手続補正１】
【補正対象書類名】特許請求の範囲
【補正対象項目名】全文
【補正方法】変更
【補正の内容】
【特許請求の範囲】
【請求項１】
三次元［３Ｄ］ビデオ宛先装置に伝達するためのビデオを表すビデオ信号を提供するためのビデオソース装置であって、前記ビデオソース装置が、
−  前記ビデオ信号を生成し、前記ビデオ信号を前記ビデオ宛先装置に伝達するための出力ユニットを含み、
前記３Ｄビデオ宛先装置が、
−  前記ビデオ信号を受信するための受信機と、
−  宛先奥行きデータを提供するための宛先奥行きプロセッサと
を含み、
前記ビデオソース装置が、
−  フィルタ位置データを含む奥行きフィルタリングデータを提供するためのソース奥行きプロセッサを含み、前記奥行きフィルタリングデータは、前記フィルタ位置データによって指示される前記ビデオのフィルタ領域内の前記宛先奥行きデータを処理するための処理条件を表し、前記出力ユニットが、前記奥行きフィルタリングデータを前記ビデオ宛先装置に伝達し、
前記宛先奥行きプロセッサが、
−  前記フィルタ位置データによって指示される前記ビデオの領域内の前記宛先奥行きデータを前記奥行きフィルタリングデータに依存して処理する、
ビデオソース装置。
【請求項２】
前記ソース奥行きプロセッサが、
−  Ｎフレームにわたる時間メジアンフィルタ、
−  ＭｘＮ画素にわたる空間メジアン、最大、又は最小フィルタ、
−  ＭｘＮ画素にわたるガウスぼかし、
−  一次元カーネルにわたるガウスぼかし、
−  少なくとも１つの固定値に閾値設定するための閾値フィルタ、
−  バイラテラルグリッドフィルタ、及び前記バイラテラルグリッドフィルタ用のオブジェクトマスク、
−  利得又はオフセットフィルタ
の少なくとも１つを含むフィルタの種類を前記奥行きフィルタリングデータの中で与える、請求項１に記載のビデオソース装置。
【請求項３】
前記ソース奥行きプロセッサが、
−  前記フィルタ領域内の動きの量を示す時間的不安定性標識、
−  奥行きと輝度及び／又はクロミナンスとの間の調整量を示す調整標識、
−  前記フィルタ領域内の背景ビデオの前にある少なくとも１つのグラフィックオブジェクトを示すグラフィックス標識
の少なくとも１つを含むフィルタ選択標識を前記奥行きフィルタリングデータの中で与える、請求項１に記載のビデオソース装置。
【請求項４】
前記ソース奥行きプロセッサが、
−  フィルタ係数、
−  フィルタ強度、
−  前記フィルタ領域内の前記ビデオのパラメータ、
−  前記領域内のグラフィカルオブジェクトのパラメータ
の少なくとも１つを含むフィルタパラメータデータを前記奥行きフィルタリングデータの中で与える、請求項２又は３に記載のビデオソース装置。
【請求項５】
前記ソース奥行きプロセッサが、
−  座標並びに／又は幅及び高さを示す長方形領域、
−  所定の形状の種類の二次元形状であって、前記形状の種類は正方形、円、楕円の少なくとも１つを含み、前記二次元形状の位置が少なくとも中心及び半径によって示される、二次元形状、
−  一次元形状であって、前記一次元形状の位置が少なくとも１つの点の座標と、長さと、水平、垂直、又は角度の１つを含む方向との少なくとも１つによって示される、一次元形状、
−  前記フィルタ領域と周囲のビデオとの間の変わり目を示すボーダー領域の種類、
−  前記それぞれのフィルタ領域を識別する領域インデックス、
−  バイラテラル奥行きフィルタのための幾何学領域、
−  オブジェクトを識別するための、フィルタ領域に関連するオブジェクトインデックスパラメータ
の少なくとも１つを含む前記フィルタ位置データを前記奥行きフィルタリングデータの中で与える、請求項１に記載のビデオソース装置。
【請求項６】
前記ソース奥行きプロセッサが、
−  フィルタ処理を開始するビデオフレームを示す開始標識、
−  フィルタ処理を停止するビデオフレームを示す停止標識、
−  フィルタ処理を施す時間を示す時間標識、
−  対応するフィルタ領域内でフィルタ処理を施すことを示す活性インデックス
の少なくとも１つを含むフィルタ活性標識を前記奥行きフィルタリングデータの中で与える、請求項１に記載のビデオソース装置。
【請求項７】
前記出力ユニットが、
−  ３Ｄ表示装置とインターフェイスするための表示信号、
−  ブロードキャストネットワーク又はインターネットを介して伝達するための伝達信号、
−  記録担体上の光学的に読み取ることができるマークによって表わされる記録担体信号
の少なくとも１つを前記ビデオ信号として生成する、請求項１に記載のビデオソース装置。
【請求項８】
ビデオソース装置から受信されるビデオを表すビデオ信号を処理するための三次元［３Ｄ］ビデオ宛先装置であって、
前記ビデオソース装置が、
−  前記ビデオ信号を生成し、前記ビデオ信号を前記３Ｄ宛先装置に伝達するための出力ユニットを含み、
前記３Ｄビデオ宛先装置が、
−  前記ビデオ信号を受信するための受信機と、
−  宛先奥行きデータを提供するための宛先奥行きプロセッサと
を含み、
３Ｄソース装置が、
−  フィルタ位置データを含む奥行きフィルタリングデータを提供するためのソース奥行きプロセッサを含み、前記奥行きフィルタリングデータは、前記フィルタ位置データによって指示される前記ビデオのフィルタ領域内の前記宛先奥行きデータを処理するための処理条件を表し、前記出力ユニットが、前記奥行きフィルタリングデータを前記ビデオ宛先装置に伝達し、
前記宛先奥行きプロセッサが、
−  前記フィルタ位置データによって指示される前記ビデオの領域内の前記宛先奥行きデータを前記奥行きフィルタリングデータに依存して処理する、
３Ｄビデオ宛先装置。
【請求項９】
前記宛先奥行きプロセッサが、前記宛先奥行きデータを提供するために、
−  ２Ｄビデオ信号から３Ｄビデオデータを生成するための２Ｄ−３Ｄ変換器、
−  ３Ｄディスプレイ上の左眼ビューを表す第１のビデオ情報と、前記３Ｄディスプレイ上の右眼ビューを表す第２のビデオ情報とを含むビデオ信号から奥行きマップを生成するための奥行きマップ生成器、
−  オートステレオスコピック３Ｄディスプレイのために複数のビューをワーピングさせるためのビューワーパー
の少なくとも１つを含む、請求項８に記載の３Ｄビデオ宛先装置。
【請求項１０】
前記３Ｄビデオ宛先装置が、
−  前記ビデオ信号を受け取るために記録担体を読み取るための読取ユニット、
−  ３Ｄビデオデータを表示するための３Ｄディスプレイ
の少なくとも１つを含む、請求項８に記載の３Ｄビデオ宛先装置。
【請求項１１】
三次元［３Ｄ］ビデオ宛先装置に伝達するためのビデオを表すビデオ信号を提供する方法であって、前記３Ｄビデオ宛先装置が、
−  前記ビデオ信号を受信するための受信機と、
−  宛先奥行きデータを提供するための宛先奥行きプロセッサと
を含み、
前記方法が、
−  前記ビデオ信号を生成し、前記ビデオ信号を前記３Ｄビデオ宛先装置に伝達するステップと、
−  フィルタ位置データを含む奥行きフィルタリングデータを提供するステップであって、前記奥行きフィルタリングデータは、前記フィルタ位置データによって指示される前記ビデオのフィルタ領域内の前記宛先奥行きデータを処理するための処理条件を表す、ステップと、
−  前記奥行きフィルタリングデータを前記ビデオ宛先装置に伝達するステップと
を含み、
前記宛先奥行きプロセッサが、
前記フィルタ位置データによって指示される前記ビデオの領域内の前記宛先奥行きデータを前記奥行きフィルタリングデータに依存して処理する、
方法。
【請求項１２】
ビデオソース装置から受信されるビデオを表すビデオ信号を処理する方法であって、前記ビデオソース装置が、
−  前記ビデオ信号を生成するための出力ユニットと、
−  フィルタ位置データを含む奥行きフィルタリングデータを提供するためのソース奥行きプロセッサであって、前記奥行きフィルタリングデータが、前記フィルタ位置データによって指示される前記ビデオのフィルタ領域内の宛先奥行きデータを処理するための処理条件を表し、前記出力ユニットが、前記奥行きフィルタリングデータを前記ビデオ宛先装置に伝達する、ソース奥行きプロセッサと
を含み、
前記方法が、
−  前記ビデオ信号を受信するステップと、
−  宛先奥行きデータを提供するステップと、
−  前記フィルタ位置データによって指示される前記ビデオの領域内の前記宛先奥行きデータを前記奥行きフィルタリングデータに依存して処理するステップと
を含む、方法。
【請求項１３】
三次元［３Ｄ］ビデオ宛先装置に伝達するためのビデオを表すビデオ信号であって、前記ビデオ宛先装置が、
−  前記ビデオ信号を受信するための受信機と、
−  宛先奥行きデータを提供するための宛先奥行きプロセッサと
を含み、
前記ビデオ信号が、
−  フィルタ位置データを含む奥行きフィルタリングデータであって、前記フィルタ位置データによって指示される前記ビデオのフィルタ領域内の前記宛先奥行きデータを処理するための処理条件を表す、奥行きフィルタリングデータ
を含み、
前記宛先奥行きプロセッサが、
−  前記フィルタ位置データによって指示される前記ビデオの領域内の前記宛先奥行きデータを前記奥行きフィルタリングデータに依存して処理する、
ビデオ信号。
【請求項１４】
請求項１３に記載の三次元［３Ｄ］ビデオ信号を含む、記録担体。
【請求項１５】
ビデオ信号を処理するためのコンピュータプログラムであって、前記プログラムは、請求項１１又は１２に記載の方法のそれぞれのステップをプロセッサに行わせる、コンピュータプログラム。